(57)【特許請求の範囲】
【請求項１】
車両に搭載されるバッテリの状態を管理するバッテリ状態管理装置であって、
前記バッテリの出力電圧を検出する電圧検出手段と、
始動に必要なエンジンの最低限の回転数である最低始動回転数を記憶した第１の記憶手段と、
前記エンジンの回転数を検出する回転数検出手段と、
クランキングに伴って前記電圧検出手段を介して検出される前記バッテリの前記出力電圧の振る舞いと、前記第１の記憶手段に記憶されている前記最低始動回転数と、前記回転数検出手段を介して検出されるクランキング時の前記エンジンのクランキング回転数とに基づいて、基準レベル設定のための基準電圧値ａを導出する基準電圧導出手段と、
前記電圧検出手段を介して前記バッテリの開放電圧値ｂと検出し、前記バッテリの開放電圧に変数ｘを割り当て、スタータ始動時の突入電流により前記バッテリの前記出力電圧が低下したときの前記出力電圧の値である下限電圧に変数ｙを割り当て、直線設定用関係式
ｙ＝（ａ／ｂ）・ｘ
で与えられる評価基準ラインを設定する評価基準設定手段と、
前記電圧検出手段を介して検出した開放電圧及び下限電圧の各値と、前記評価基準ラインとの関係に少なくとも基づいて、前記バッテリの状態を評価する状態評価手段と、
を備えることを特徴とするバッテリ状態管理装置。
【請求項２】
請求項１に記載のバッテリ状態管理装置において、
前記基準電圧値ａは、前記クランキング回転数が前記最低始動回転数により定められる値で前記エンジンが始動したときに前記下限電圧が取るであろう予測値に対応していることを特徴とするバッテリ状態管理装置。
【請求項３】
請求項１又は２に記載のバッテリ状態管理装置において、
略新品のバッテリの開放電圧と下限電圧との関係を表す電圧関係情報と、前記略新品のバッテリの開放電圧値である初期基準開放電圧値とが記憶された第２の記憶手段をさらに備え、
前記状態評価手段は、
使用中の前記バッテリの前記開放電圧である使用後開放電圧値と前記下限電圧値である使用後放電時電圧時とを前記電圧検出手段を介して計測し、
前記第２の記憶手段に記憶された前記電圧関係情報によって与えられる前記開放電圧と前記下限電圧の関係において、前記下限電圧が前記使用後下限電圧値と等しい値であるときの前記開放電圧の値を対応基準開放電圧値として導出し、
前記直線設定用関係式によって与えられるグラフ情報と前記電圧関係情報によって与えられるグラフ情報との交点に対応する開放電圧の値を最低基準開放電圧値として導出し、
使用中の前記バッテリの開放電圧の下限基準なとなる最低使用後開放電圧値を、前記初期基準開放電圧値から前記最低基準開放電圧値を引いた値に対する前記初期基準開放電圧値から前記最低使用後開放電圧値を引いた値の比が前記初期基準開放電圧値から前記対応基準開放電圧値を引いた値に対する前記初期基準開放電圧値から前記使用後開放電圧値を引いた値の比と等しくなるようにして導出し、
前記初期基準開放電圧値と前記最低使用後開放電圧値との差である基準差分値と、前記使用後開放電圧値と前記最低使用後開放電圧値との差である使用後差分値とを比較することにより、使用中の前記バッテリの充電残量を検出することを特徴とすることを特徴とするバッテリ状態管理装置。
【請求項４】
請求項２に記載のバッテリ状態管理装置において、
前記基準電圧導出手段は、
前記クランキング回転数と前記スタータにて生じる逆起電力電圧の大きさとが略比例関係にあるという特性を利用し、
前記電圧検出手段を介して検出した前記バッテリの開放電圧及び前記下限電圧と、クランキング時に前記電圧検出手段を介して検出した前記出力電圧である始動時出力電圧と、前記クランキング時に前記回転数検出手段により検出された前記クランキング回転数と、前記記憶手段に記憶されている前記最低始動回転数とに基づいて、前記基準電圧値ａを導出することを特徴とするバッテリ状態管理装置。
【請求項５】
請求項２又は４に記載のバッテリ状態管理装置において、
前記基準電圧導出手段は、前記開放電圧（ＶO）、前記下限電圧（ＶL）、前記始動時出力電圧（ＶC）、前記クランキング回転数（ｒc）及び前記最低始動回転数（ｒe）を、基準電圧導出用関係式
【数１】
0004721826.tif 000012
に代入して演算することにより、前記基準電圧値ａを導出することを特徴とするバッテリ状態管理装置。
【請求項６】
請求項３に記載のバッテリ状態管理装置において、
前記略新品のバッテリの開放電圧がそのバッテリの充電残量に応じて変化した際に、前記開放電圧の変化に対する前記略新品のバッテリの内部抵抗の変化態様を表す抵抗変化情報を記憶する第３の記憶手段と、
電圧関係導出手段と、
をさらに備え、
前記電圧関係導出手段は、
前記略新品のバッテリの開放電圧値である初期基準開放電圧値と、スタータに接続して突入電流が流れたときの前記略新品のバッテリの出力電圧である初期基準下限電圧値とを前記電圧検出手段を介して計測し、前記初期基準開放電圧値を前記第２の記憶手段に記憶させ、
横軸及び縦軸に前記開放電圧及び前記下限電圧を採用した２次元座標上における前記初期基準開放電圧値及び前記初期基準下限電圧値により決まる座標点と原点とを結ぶ直線を基準とし、その直線上の各点を、前記初期基準開放電圧値と前記初期基準下限電圧値との差分値と、前記第３の記憶手段に記憶された前記抵抗変化情報が表す前記内部抵抗の変化態様とに応じて変化させて得られた座標情報である前記電圧関係情報を導出して前記第２の記憶手段に記憶させることを特徴とするバッテリ状態管理装置。
【請求項７】
請求項３に記載のバッテリ状態管理装置において、
前記略新品のバッテリの各充電残量における内部抵抗値ＲBの所定の基準内部抵抗値ＲBIに対する変化率（ＲB／ＲBI）を、前記略新品のバッテリの前記各充電残量に対応する開放電圧値ＶOIの関数ｆ（ＶOI）として表す関数情報である抵抗変化情報を記憶する第３の記憶手段と、
電圧関係導出手段と、
をさらに備え、
前記電圧関係導出手段は、
前記略新品のバッテリの開放電圧値である初期基準開放電圧値ＶOIFと、スタータに接続して突入電流が流れたときの前記略新品のバッテリの出力電圧である初期基準下限電圧値
ＶLIFとを前記電圧検出手段を介して計測し、前記初期基準開放電圧値ＶOIFを前記第２の記憶手段に記憶させ、
前記第１の記憶手段に記憶された前記関数情報によって与えられる前記関数ｆ（ＶOI）と、前記初期基準開放電圧値ＶOIF及び前記初期基準放電時電圧値ＶLIFと、電圧関係導出用関係式
【数２】
0004721826.tif 000013
とを用いて、前記略新品のバッテリの前記開放電圧値ＶOIと前記下限電圧値ＶLIとの関係を表す前記電圧関係情報を導出して前記前記第２の記憶手段に記憶させることを特徴とするバッテリ状態管理装置。
【発明の詳細な説明】
【技術分野】
【０００１】
本発明は、バッテリ（本明細書では、鉛バッテリのことを指す）の状態を管理するバッテリ状態管理装置及び管理方法に関する。
【背景技術】
【０００２】
バッテリの状態評価を行うための従来技術としては、バッテリの出力電圧に対して、エンジンの始動が可能な最低限の電圧レベルを示す所定の基準電圧レベルを設定し、その閾値レベルとバッテリの出力電圧との関係に基づいて、バッテリの状態評価を行いものがある。
【発明の開示】
【発明が解決しようとする課題】
【０００３】
ところで、ユーザーの価値観の多様化等により、車両（自動車）には様々な車種・車格が存在する。そして、これらの車種・車格に応じて、搭載されるエンジンやスタータの種類が異なる。このように、エンジンやスタータの種類が異なると、始動時における適正なスタータのトルク、ひいては適正なスタータの必要電圧が異なるはずである。
【０００４】
しかしながら、従来においては、エンジンやスタータの種類を考慮せずに、一律に上記基準電圧レベルを設定していたため、正確なバッテリの状態評価を行うことが困難であった。
【０００５】
仮に正確なバッテリの状態評価を行おうとすると、車両にエンジンやスタータを実際に搭載した後に、バッテリの状態を変化させたり、状態の異なるバッテリを交換したりしながら、スタータが正常に起動してエンジンを点火できるバッテリの最低限の状態を試験的に求めなければならず、多大な労力とコストを要するなど不利が多い。
【０００６】
そこで、本発明の課題は、様々な車種・車格の車両に容易に対応し得るバッテリ状態管理装置を提供することにある。
【課題を解決するための手段】
【０００７】
上記の課題を解決するため、請求項１の発明では、車両に搭載されるバッテリの状態を管理するバッテリ状態管理装置であって、前記バッテリの出力電圧を検出する電圧検出手段と、始動に必要なエンジンの最低限の回転数である最低始動回転数を記憶した第１の記憶手段と、前記エンジンの回転数を検出する回転数検出手段と、クランキングに伴って前記電圧検出手段を介して検出される前記バッテリの前記出力電圧の振る舞いと、前記第１の記憶手段に記憶されている前記最低始動回転数と、前記回転数検出手段を介して検出されるクランキング時の前記エンジンのクランキング回転数とに基づいて、基準レベル設定のための基準電圧値ａを導出する基準電圧導出手段と、前記電圧検出手段を介して前記バッテリの開放電圧値ｂと検出し、前記バッテリの開放電圧に変数ｘを割り当て、スタータ始動時の突入電流により前記バッテリの前記出力電圧が低下したときの前記出力電圧の値である下限電圧に変数ｙを割り当て、直線設定用関係式
ｙ＝（ａ／ｂ）・ｘ
で与えられる評価基準ラインを設定する評価基準設定手段と、前記電圧検出手段を介して検出した開放電圧及び下限電圧の各値と、前記評価基準ラインとの関係に少なくとも基づいて、前記バッテリの状態を評価する状態評価手段とを備える。
【０００８】
また、請求項２の発明では、請求項１の発明に係るバッテリ状態管理装置において、前記基準電圧値ａは、前記クランキング回転数が前記最低始動回転数により定められる値で前記エンジンが始動したときに前記下限電圧が取るであろう予測値に対応している。
【０００９】
また、請求項３の発明では、請求項１又は２の発明に係るバッテリ状態管理装置において、略新品のバッテリの開放電圧と下限電圧との関係を表す電圧関係情報と、前記略新品のバッテリの開放電圧値である初期基準開放電圧値とが記憶された第２の記憶手段をさらに備え、前記状態評価手段は、使用中の前記バッテリの前記開放電圧である使用後開放電圧値と前記下限電圧値である使用後放電時電圧時とを前記電圧検出手段を介して計測し、前記第２の記憶手段に記憶された前記電圧関係情報によって与えられる前記開放電圧と前記下限電圧の関係において、前記下限電圧が前記使用後下限電圧値と等しい値であるときの前記開放電圧の値を対応基準開放電圧値として導出し、前記直線設定用関係式によって与えられるグラフ情報と前記電圧関係情報によって与えられるグラフ情報との交点に対応する開放電圧の値を最低基準開放電圧値として導出し、使用中の前記バッテリの開放電圧の下限基準なとなる最低使用後開放電圧値を、前記初期基準開放電圧値から前記最低基準開放電圧値を引いた値に対する前記初期基準開放電圧値から前記最低使用後開放電圧値を引いた値の比が前記初期基準開放電圧値から前記対応基準開放電圧値を引いた値に対する前記初期基準開放電圧値から前記使用後開放電圧値を引いた値の比と等しくなるようにして導出し、前記初期基準開放電圧値と前記最低使用後開放電圧値との差である基準差分値と、前記使用後開放電圧値と前記最低使用後開放電圧値との差である使用後差分値とを比較することにより、使用中の前記バッテリの充電残量を検出する。
【００１０】
また、請求項４の発明では、請求項２の発明に係るバッテリ状態管理装置において、前記基準電圧導出手段は、前記クランキング回転数と前記スタータにて生じる逆起電力電圧の大きさとが略比例関係にあるという特性を利用し、前記電圧検出手段を介して検出した前記バッテリの開放電圧及び前記下限電圧と、クランキング時に前記電圧検出手段を介して検出した前記出力電圧である始動時出力電圧と、前記クランキング時に前記回転数検出手段により検出された前記クランキング回転数と、前記記憶手段に記憶されている前記最低始動回転数とに基づいて、前記基準電圧値ａを導出する。
【００１１】
また、請求項５の発明では、請求項２又は４の発明に係るバッテリ状態管理装置において、前記基準電圧導出手段は、前記開放電圧（ＶO）、前記下限電圧（ＶL）、前記始動時出力電圧（ＶC）、前記クランキング回転数（ｒc）及び前記最低始動回転数（ｒe）を、基準電圧導出用関係式
【００１２】
【数１】
0004721826.tif 000002
【００１３】
に代入して演算することにより、前記基準電圧値ａを導出する。
【００１４】
また、請求項６の発明では、請求項３の発明に係るバッテリ状態管理装置において、前記略新品のバッテリの開放電圧がそのバッテリの充電残量に応じて変化した際に、前記開放電圧の変化に対する前記略新品のバッテリの内部抵抗の変化態様を表す抵抗変化情報を記憶する第３の記憶手段と、電圧関係導出手段とをさらに備え、前記電圧関係導出手段は、前記略新品のバッテリの開放電圧値である初期基準開放電圧値と、スタータに接続して突入電流が流れたときの前記略新品のバッテリの出力電圧である初期基準下限電圧値とを前記電圧検出手段を介して計測し、前記初期基準開放電圧値を前記第２の記憶手段に記憶させ、横軸及び縦軸に前記開放電圧及び前記下限電圧を採用した２次元座標上における前記初期基準開放電圧値及び前記初期基準下限電圧値により決まる座標点と原点とを結ぶ直線を基準とし、その直線上の各点を、前記初期基準開放電圧値と前記初期基準下限電圧値との差分値と、前記第３の記憶手段に記憶された前記抵抗変化情報が表す前記内部抵抗の変化態様とに応じて変化させて得られた座標情報である前記電圧関係情報を導出して前記第２の記憶手段に記憶させる。
【００１５】
また、請求項７の発明では、請求項３の発明に係るバッテリ状態管理装置において、前記略新品のバッテリの各充電残量における内部抵抗値ＲBの所定の基準内部抵抗値ＲBIに対する変化率（ＲB／ＲBI）を、前記略新品のバッテリの前記各充電残量に対応する開放電圧値ＶOIの関数ｆ（ＶOI）として表す関数情報である抵抗変化情報を記憶する第３の記憶手段と、電圧関係導出手段とをさらに備え、前記電圧関係導出手段は、前記略新品のバッテリの開放電圧値である初期基準開放電圧値ＶOIFと、スタータに接続して突入電流が流れたときの前記略新品のバッテリの出力電圧である初期基準下限電圧値ＶLIFとを前記電圧検出手段を介して計測し、前記初期基準開放電圧値ＶOIFを前記第２の記憶手段に記憶させ、前記第１の記憶手段に記憶された前記関数情報によって与えられる前記関数ｆ（ＶOI）と、前記初期基準開放電圧値ＶOIF及び前記初期基準放電時電圧値ＶLIFと、電圧関係導出用関係式
【００１６】
【数２】
0004721826.tif 000003
【００１７】
とを用いて、前記略新品のバッテリの前記開放電圧値ＶOIと前記下限電圧値ＶLIとの関係を表す前記電圧関係情報を導出して前記前記第２の記憶手段に記憶させる。
【発明の効果】
【００１８】
請求項１に記載の発明によれば、エンジンに固有のパラメータである最低始動回転数に関する情報等を予め記憶手段に登録しておけば、それ以外の必要な情報については、各車両固有の特性（特に、スタータ及びバッテリの特性）が反映された形で、バッテリ状態管理装置によって自動的に取得され、バッテリの状態評価の基準となる評価基準ラインが自動的に設定され、電圧検出手段を介して検出した開放電圧及び下限電圧の各値と、評価基準ラインとの関係に少なくとも基づいてバッテリの状態が評価されるようになっているため、様々な車種・車格の車両に容易に対応して、バッテリの状態評価を的確に行うことができる。
【００１９】
請求項２に記載の発明によれば、基準電圧値ａが、クランキング回転数が最低始動回転数により定められる下限値一杯でエンジンが始動したときに下限電圧が取るであろうと予測される値に対応しているため、この基準電圧値ａを用いて設定した評価基準ラインに基づいてバッテリの状態評価を行うことにより、バッテリのエンジン始動性能について的確に評価することができる。
【００２０】
請求項３に記載の発明によれば、バッテリが略新品状態にあるときに取得しておいた開放電圧の変化に対する下限電圧の変化態様を表す電圧関係情報と、使用開始後のバッテリの開放電圧である使用後開放電圧値とスタータへ突入電流が流れた際の下限電圧である使用後下限電圧値とに基づき、電圧関係情報によって与えられる開放電圧と下限電圧の関係において、下限電圧が使用後下限電圧値と等しい値であるときの開放電圧の値が対応基準開放電圧値として導出され、電圧関係情報によって表される下限電圧の変化態様において、請求項１の直線設定用関係式によって与えられるグラフ情報と電圧関係情報によって与えられるグラフ情報との交点に対応する開放電圧の値が最低基準開放電圧値として導出され、使用中のバッテリの開放電圧の下限基準なとなる最低使用後開放電圧値が、初期基準開放電圧値から最低基準開放電圧値を引いた値に対する初期基準開放電圧値から最低使用後開放電圧値を引いた値の比が初期基準開放電圧値から対応基準開放電圧値を引いた値に対する初期基準開放電圧値から使用後開放電圧値を引いた値の比と等しくなるようにして導出され、初期基準開放電圧値と最低使用後開放電圧値との差である基準差分値と、使用後開放電圧値と最低使用後開放電圧値との差である使用後差分値とが比較されることにより、使用中のバッテリの充電残量が検出されるため、車両固有の評価パラメータを設定することなく、エンジン始動性能を基準したバッテリの充電残量を検出することができる。
【００２１】
請求項４に記載の発明によれば、クランキング回転数とスタータにて生じる逆起電力電圧の大きさとが略比例関係にあるという特性を利用し、開放電圧、下限電圧、始動時出力電圧、クランキング回転数及び最低始動回転数に基づいて基準電圧値ａを導出するため、基準電圧値ａを容易かつ的確に取得することができる。
【００２２】
請求項５に記載の発明によれば、基準電圧レベルａを簡単な演算により的確に取得することができる。
【００２３】
請求項６及び７に記載の発明によれば、略新品のバッテリの充電残量の変化に応じた開放電圧の変化に対するバッテリの内部抵抗の変化態様は、バッテリのグレード等が異なってもほぼ共通しているため、その開放電圧の変化に対する内部抵抗の変化態様を表す抵抗変化情報と、略新品状態にあるときのバッテリの初期基準下限電圧値と、所定負荷（これは各車両固有のものであってよい）に対する初期基準下限電圧値とに基づいて、バッテリの状態評価の基準となる略新品状態にあるときのバッテリの開放電圧の変化に対する下限電圧の変化態様を表す電圧関係情報を、車種ごとの固有のパラメータ設定を行うことなく、自動的に取得することができ、バラメータ設定のための人的及び装置的コストを軽減できるとともに、同一車種内の車両個体差によるバラツキにも容易に対応できる。
【発明を実施するための最良の形態】
【００２４】
＜原理説明＞
本発明の一実施形態に係るバッテリ状態管理装置についての具体的な説明を行う前に、本実施形態に係るバッテリ状態の評価原理について説明する。最初に、新品（実質的に新品であればよい（以下同様））のバッテリの開放電圧とエンジン始動時の下限電圧との関係を示す電圧関係情報の取得原理について説明する。続いて、バッテリの状態評価の基準となる評価基準ラインの導出原理について説明する。続いて、その電圧関係情報及び評価基準ラインを用いたバッテリの評価原理について説明する。
【００２５】
なお、開放電圧とは、バッテリが実質的に放電を行っていないときの出力電圧のことをいい、下限電圧とは、エンジン始動時におけるスタータへ突入電流が流れたときのバッテリの出力電圧の下限値のことをいう。
【００２６】
＜電圧関係情報の取得原理など＞
図１は、劣化状況及び充電残量の異なるバッテリについて開放電圧とエンジン始動時の下限電圧とを試験により計測した計測結果を示すグラフである。その横軸は各放電試験におけるエンジン始動時放電開始前のバッテリの開放電圧値に対応し、縦軸は各放電試験におけるエンジン始動時放電中のバッテリの下限電圧値に対応している。また、図１中の曲線Ｇ１は新品のバッテリについての計測結果に基づいて描いたものであり、曲線Ｇ２〜Ｇ５は使用されてある程度劣化したバッテリについての計測結果に基づいて描いたものであり、曲線Ｇ２，Ｇ３，Ｇ４の順にバッテリの使用期間が長くなり劣化が進んでいる。なお、充電終了時（エンジン停止時）から一定時間経過時の開放電圧値を用いることにより、バッテリ１の放電特性取得や状態評価等の精度がより向上する。
【００２７】
図１のグラフより、バッテリの劣化が進むにつれて対応する曲線Ｇ１〜Ｇ５がグラフの概ね右方向（又は右下方向）にシフトしていることが分かる。特に、下限電圧値が所定の基準レベル（例えば、９Ｖ）以下の領域では、曲線Ｇ１を基準とした曲線Ｇ２〜Ｇ５の右方向へのシフト量が対応するバッテリの劣化の進みに応じて増加する傾向にあることが分かる。これより、曲線Ｇ１に対応した新品のバッテリのエンジン始動時放電特性（各充電残量に応じた各放電電圧値に対するエンジン始動時放電中の下限電圧値）を導出しておけば、これを基準としてバッテリの状態評価を行うことができる。
【００２８】
しかし、エンジン始動時にバッテリに接続される負荷の状況は、車種ごとに大きく相違する。このため、従来の手法を適用して、曲線Ｇ１に対応するバッテリのエンジン始動時放電特性を取得しようとすると、例えば、ある一定の基準条件の下で曲線Ｇ１に対応するバッテリのエンジン始動時放電特性を試験により検出し、その放電特性に対し、車種ごとに設定した調節パラメータを用いて微調整を行うこととなる。
【００２９】
そこで、本願発明者らは、その従来手法の課題に着目し、車体固有の調節パラメータ等を使用することなく、車体固有のエンジン始動時の負荷状況を反映したバッテリのエンジン始動時放電特性等を自動的に取得できるようにすべく本発明を行った。その原理は以下の通りである。
【００３０】
図２は、バッテリのエンジン始動時の放電特性について説明するためのグラフであり、図２のグラフ中の曲線Ｇ１は図１の曲線Ｇ１に対応している。図３に示すように、エンジン始動時にバッテリ１に接続されるエンジン始動時負荷ＬS（バッテリの内部抵抗以外の負荷であって、スタータ、その他の抵抗要素等を含む）の抵抗値をＲSとし、バッテリ１の内部抵抗値をＲBとし、バッテリ１の開放電圧値をＶOとし、バッテリ１にエンジン始動時負荷ＬSを接続して放電を行わせた際の出力電圧の最低値である下限電圧値をＶLとすると、これらのパラメータＲS，ＲB，ＶO ，ＶLの間には、次の関係が成り立つ。
【００３１】
【数３】
0004721826.tif 000004
【００３２】
この式（Ａ−１）をＶLについて解くと次のようになる。
【００３３】
【数４】
0004721826.tif 000005
【００３４】
この式（Ａ−２）において、内部抵抗値ＲBが開放電圧値ＶO（すなわち、バッテリ１の充電残量）により変化しないと仮定すると、エンジン始動時負荷ＬSの抵抗値ＲSは開放電圧値ＶOの値に依らず一定であるため、図２のグラフの座標系の原点を通る直線Ｇ５に対応した式（値ＶO，ＶLの比例関係を表す式）が得られる。
【００３５】
実際には、式（Ａ−２）における内部抵抗値ＲBは開放電圧値ＶO（バッテリ１の充電残量）の減少に伴って増加するため、下限電圧値ＶLの低下割合は、曲線Ｇ１のように開放電圧値ＶOの減少に伴って増大するようになっている。すなわち、図２のグラフの曲線Ｇ１の直線Ｇ１からの縦軸マイナス方向への乖離量が開放電圧値ＶOの減少に伴って徐々に大きくなるのは、開放電圧値ＶOの減少に伴う部抵抗値ＲBの増加によるものであるということができる。
【００３６】
そこで、本願発明者らは、開放電圧値ＶO（バッテリ１の充電残量）の減少に伴うバッテリ１の内部抵抗値ＲBの増加割合は、新品のバッテリ１であればどのバッテリ１についてもほぼ共通した特性であることに着目し、その特性を有効に利用することにより、新品のバッテリ１のエンジン始動時負荷ＬSに対する車両固有の放電特性を容易に検出することが可能であることに思い至った。
【００３７】
すなわち、新品のバッテリ１における開放電圧値ＶOの減少に伴う内部抵抗値ＲBの増加割合に関する情報を予め取得してシステムに記憶させておき、工場での車両組立完成時、出荷時、車両がエンドユーザに引き渡されたとき、又はエンドユーザ引き渡し後一定期間内などのバッテリ１が新品の状態にあるときに、バッテリ１に対するエンジン始動時負荷ＬSを用いた放電特性（基準となる充電残量における新品のバッテリ１の開放電圧値ＶOとエンジン始動時負荷ＬSを接続した際の下限電圧値ＶL）の計測により、図２のグラフ上における車両固有の１つの計測点を取得し、その計測点と予め記憶された内部抵抗値ＲBの増加割合に関する情報とに基づいて、新品のバッテリ１のエンジン始動時負荷ＬSに対する車両固有の放電特性を取得できることが分かった。なお、前記車両固有の計測点については、複数回の計測を行って得られた計測結果について平均化（加重平均を含む）等の数値処理を施したものを利用してもよく、その場合、計測時のバッテリ１の開放電圧（充電残量）の値に応じて開放電圧が最大の計測点について優先的に利用したり、加重平均の寄与度を大きくする等の方法が考えられる。
【００３８】
より具体的には、まず、新品のバッテリ１の充電残量が満充電状態（実質的に満充電状態であればよい（以下同様））であるときの開放電圧値ＶOIF及び内部抵抗値ＲBIFと、充電残量が低下したときの各開放電圧値ＶOIにおける内部抵抗値ＲBIのＲBIFに対する変化率（ＲBI／ＲBIF）とを試験により計測する。そして、新品のバッテリ１の開放電圧値ＶOIの変化に対する内部抵抗値ＲBIの変化率（ＲBI／ＲBIF）を、開放電圧値ＶOIを変数とした関数（例えば、式（Ａ−３）のような関数）を近似的に求め、その関数に関する情報を予めシステムに記憶させておく。あるいは、その変形例として、各開放電圧値ＶOIの値とそれに対応する内部抵抗値ＲBIの変化率（ＲBI／ＲBIF）の各値とをデータテーブルにして予めシステムに記憶させるようにしてもよい。なお、各開放電圧値ＶOIにおける内部抵抗値ＲBIの変化率（ＲBI／ＲBIF）の具体的な計測方法については後述する。
【００３９】
【数５】
0004721826.tif 000006
【００４０】
次に、工場での車両組立完成時等のバッテリ１が新品状態にあり、かつ、バッテリ１が満充電状態であるときに、開放電圧値（初期基準放電電圧値）ＶOIFと、そのバッテリ１のエンジン始動時負荷ＬSを接続した際のバッテリ１の下限電圧値（初期基準下限電圧値）ＶLIFとを計測する。バッテリ１が満充電状態であるか否かの判定は、例えばバッテリ１の開放電圧値を計測し、その値が満充電状態に対応した所定の基準レベル以上になっているか否かを判定することにより行われる。なお、上述の如く、初期基準放電電圧値ＶOIF及び初期基準下限電圧値ＶLIFの計測を複数回行ってそれらを平均等したものを利用してもよい。
【００４１】
この初期基準放電電圧値ＶOIF及び初期基準下限電圧値ＶLIFについての計測結果と、上式（Ａ−３）の関数（又はそれと同等なデータテーブル）を用いることにより、車両に搭載された新品のバッテリ１のエンジン始動時負荷ＬSに対する開放電圧値ＶOIの変化に伴う下限電圧値ＶLIの変化を示す関係式は、次式で与えられる。
【００４２】
【数６】
0004721826.tif 000007
【００４３】
ここで、上式（Ａ−４）中のパラメータＶLKは、図２のグラフの直線Ｇ５上における開放電圧値がＶOIであるときの下限電圧値であり、下記の式（Ａ−５）により与えられる。
【００４４】
【数７】
0004721826.tif 000008
【００４５】
式（Ａ−４）の関係式の導出は、例えば次のようにして行われる。すなわち、上式（Ａ−１）の関係を図２のグラフにおける座標点ＰFについて当てはめてることを考えた場合、開放電圧値がＶOIFのとき（満充電時）の内部抵抗値ＲBをＲBIFとすると、次の関係式（Ａ−６）が得られる。
【００４６】
【数８】
0004721826.tif 000009
【００４７】
また、上式（Ａ−１）の関係を図２のグラフにおける座標点ＰIについて当てはめてることを考えた場合、開放電圧値がＶOIのときの内部抵抗値ＲBが上式（Ａ−３）よりＲB＝ｆ（ＶOI）・ＲBIFとして得られるため、次の関係式（Ａ−７）が得られる。
【００４８】
【数９】
0004721826.tif 000010
【００４９】
よって、関係式（Ａ−６）の右辺を関係式（Ａ−７）の左辺のパラメータ（ＲS／ＲBIF）に代入したものをパラメータＶLIについて解くと、上記関係式（Ａ−４）が得られる。
【００５０】
上式（Ａ−６）の関係式は、別の観点から見ると、図２のグラフの直線Ｇ５を基準として、直線Ｇ５上の点を、上式（Ａ−３）の関係により与えられるその点における開放電圧値ＶOIに応じたバッテリ１の内部抵抗値の変化率の変化態様に応じたシフト量で縦軸マイナス方向にシフトさせることにより、各充電残量（各開放電圧値ＶOI）における下限電圧値ＶLIを導出している。
【００５１】
このように導出した開放電圧値ＶOIと下限電圧値ＶLIと関係に関する情報は、車両固有のエンジン始動時負荷ＬSの抵抗値ＲSが反映されているため、この情報を用いることにより、車両固有の負荷環境等を反映したバッテリ１の状態評価を行うことができる。
【００５２】
ここで、図２のグラフ中の値ＶOIE，ＶLIEは、新品のバッテリ１が充電残量ゼロ（実質的に充電残量がゼロであればよい（以下同様））のときの開放電圧値及び下限電圧値にそれぞれ対応している。また、値ＶOIF，ＶOIEの具体例は、例えば１２．８Ｖ，１０．５Ｖである。
【００５３】
次に、新品のバッテリ１における開放電圧値ＶOの減少に伴う内部抵抗値ＲBの増加割合に関する情報の取得方法について説明する。まず、本実施形態では、バッテリ容量試験に関するＪＩＳ規格に従い、新品のバッテリ１に対する容量試験を行う。ここで、ＪＩＳ規格の容量試験とは、満充電状態のバッテリ１に一定電流値（例えば、０．２Ａ）の放電を行わせ、その放電開始時からバッテリ１の出力電圧が充電残量ゼロに対応した電圧値（例えば、１０．５Ｖ）に到達するまでの所要時間を計測し、その所要時間と放電電流値（例えば、０．２Ａ）との乗算値をバッテリ容量とする試験である。なお、変形例として、ＪＩＳ準拠放電試験の条件（電流値、温度等）以外での放電特性を代わりに用いてもよい。
【００５４】
すなわち、本実施形態では、満充電状態の新品のバッテリ１に、ＪＩＳ規格に準拠した一定電流値（例えば、０．２Ａ）を放電させつつ、そのときのバッテリ１の出力電圧の推移を計測する。図４のグラフ中の曲線Ｇ７は、そのときのバッテリ１の出力電圧の推移を計測した結果を示すものであり、グラフ中の値ＶAFは放電開始前の満充電状態のバッテリ１の出力電圧値（開放電圧値）であり、前述の値ＶOIFに対応している。値ＶAEはバッテリ１の充電残量ゼロに対応する放電終了時の開放電圧値であり、前述の前述の値ＶOIEに対応している。また、値ＶBFは放電開始直後のバッテリ１の出力電圧値であり、値ＶBEはバッテリ１の充電残量ゼロに対応する放電終了時の出力電圧値であり、値ＴEは充電残量ゼロに対応する放電終了時の時間を示している。また、直線Ｇ８は、放電による充電残量の減少に伴って変化するバッテリ１の開放電圧の計測値の推移を直線で近似したものである。また、このグラフ中のハッチング付した領域が、充電残量の減少に伴うバッテリ１の内部抵抗値ＲBの増加の影響を反映している部分であり、図２及び後述する図５のグラフのハッチングを付した領域に対応している。
【００５５】
続いて、図４のグラフにおける曲線Ｇ７上における点と直線Ｇ８上における点とのグラフの縦軸方向に沿った差の大きさは、その時点におけるバッテリ１の内部抵抗値ＲBに比例するため、放電開始時（満充電時）における値ＶAFと値ＶBFとの差Ｄ２と、放電の過程の直線Ｇ８上の各点と曲線Ｇ７上の各点との差Ｄ３との比率（Ｄ３／Ｄ２）により、各開放電圧値ＶOにおける内部抵抗値ＲBの変化率（ＲB／ＲBF）を導出することができる。図５のグラフ中の曲線Ｇ９は、そのように導出した開放電圧値ＶOの変化に対する内部抵抗値ＲBの変化率（ＲB／ＲBF）を示しており、この曲線Ｇ９に基づいて前述の式（Ａ−３）が決定される。
【００５６】
このようにして取得した開放電圧値ＶOの変化に対する内部抵抗値ＲBの変化率（ＲB／ＲBF）は、バッテリ１のグレード等の相違にあまり依存しないものであるが、種々のバッテリ１に対する適用性を向上させるため、種々のバッテリ１に対する試験により取得した内部抵抗値ＲBの変化率（ＲB／ＲBF）を平均化したものを使用するのが望ましい。
【００５７】
＜評価基準ラインの導出原理＞
図６は、車両の始動時のクランキング期間における電圧と電流の推移を示す図であって、横軸は時間、縦軸はバッテリからスタータに出力される電圧及び電流を示している。
【００５８】
この図６において、時刻Ｔ１でイグニションスイッチがオンになると、バッテリからの突入電流がスタータに流れ、バッテリの出力電圧が瞬間的に低下する。そして、スタータの逆起電力が発生し、バッテリの出力電圧が徐々に上昇すると、スタータの回転数が上昇するとともに、電流が徐々に安定化する。そして、バッテリ電圧が一定のレベルに達した時点Ｔ２で、スタータの回転数が一定値に上昇し、エンジンの点火が行われる。この時点Ｔ２で、スタータに対する電流供給が停止され、バッテリの出力電圧が定常状態に復帰する。
【００５９】
図７は、バッテリ１とスタータ３とが接続された状態を示す概略的な等価回路図である。図７のように、バッテリ１は、配線５，７及びイグニションスイッチ９を通じてスタータ３に接続される。尚、符号１１はスタータ３のアーマチャコイル、符号１３はフィールドコイル、符号１５はプルインコイル、符号１７はホールディングコイルである。ただし図７では、回路内における電流と電圧との関係に注目することとし、上記の各コイル１１，１３，１５，１７をそれぞれ抵抗体として捉えて図示している。
【００６０】
ここで、配線５，７の抵抗値をそれぞれＲ1A，Ｒ1Bとする。また、イグニションスイッチ９とスタータ３のスイッチ端子Ｔｅ１との間の配線抵抗値をＲ2、バッテリ側端子Ｔｅ２とモータ端子Ｔｅ３との間の接点接触抵抗値をＲ3、ホールディングコイル１７、フィールドコイル１３及びアーマチャコイル１１の各抵抗値をＲ4，Ｒ5，Ｒ6とする。
【００６１】
この場合、スタータ３の内部抵抗ＲSは、次の（Ｂ−１）式で表される。
【００６２】
ＲS＝Ｒ3＋Ｒ5＋Ｒ6    （Ｂ−１）
また、配線５，７の配線抵抗ＲHは、次の（Ｂ−２）式で表される。
【００６３】
ＲH＝Ｒ1A＋Ｒ1B    （Ｂ−２）
さらに、バッテリ１の内部においては、集電極や電解液等の内部抵抗に加えて、格子腐食やサルフェーション等の劣化、及び放電（特に過放電）に伴う電極表面の硫酸鉛の析出により内部抵抗ＲBが発生する。
【００６４】
したがって、図７の回路における回路抵抗Ｒa11は、次の（Ｂ−３）式のようになる。
【００６５】
Ｒa11＝ＲS＋ＲH＋ＲB    （Ｂ−３）
図８に、図７の回路における電圧降下とバッテリ１の電流及び電圧の変化を示す。この図８において、横軸及び縦軸は、バッテリ１からスタータ３に出力される電流及び電圧をそれぞれ意味しており、線Ｌ１は、スタータ３の内部抵抗ＲSと配線５，７の配線抵抗ＲH等とによる電圧降下線、線Ｌ２ａ〜Ｌ２ｅはバッテリ１の電流−電圧特性線（以下「Ｉ−Ｖ特性線」と称す）、線Ｌｔｈはエンジンを始動されることが可能な最低限の基準電圧値（基準電圧値ａ）ＶLthを示す閾値線をそれぞれ示している。この基準電圧値ＶLthは、スタータ３の始動時の突入電流によりバッテリ１の出力電圧が一時的に低下する際の最低電圧値に対応して設定されるものである。
【００６６】
上述のように、スタータ３をオンしたときには、図６の時点Ｔ１のように突入電流が流れると同時に、バッテリ１の出力電圧が急峻に低下する。したがって、バッテリ１の電流と出力電圧は、図８において、バッテリ１のＩ−Ｖ特性線Ｌ２ａ〜Ｌ２ｅと、スタータ３の内部抵抗ＲSと配線５，７の配線抵抗ＲH等とによる電圧降下線Ｌ１との交点Ｐａ〜Ｐｅから開始される。そして、その後、バッテリ１の出力電圧は、Ｉ−Ｖ特性線Ｌ２ａ〜Ｌ２ｅに沿って電流が低下するとともに近似的にリニアに上昇するようになっている。
【００６７】
ここで、バッテリ１の電流−電圧特性は、その個々のバッテリ１の劣化状態、充電残量等によって変化する。特に、バッテリ１の劣化が進むと、そのバッテリ１の内部抵抗ＲBが上昇するため、右下がりの傾斜が急峻になる。図８においては、線Ｌ２ａが最も良好なバッテリ状態、線Ｌ２ｅが最も劣悪なバッテリ状態における電流−電圧特性を示している。なお、バッテリ１の充電状態が低下した場合にも、線Ｌ２が右下がりに傾斜が大きくなる傾向にあることが分かっている。
【００６８】
そして、図８においては、バッテリ１のＩ−Ｖ特性線Ｌ２ａ〜Ｌ２ｅと、スタータ３の内部抵抗ＲSと配線５，７の配線抵抗ＲH等とによる電圧降下線Ｌ１との交点において、バッテリ１からスタータ３に印加される電圧値が、基準電圧値ＶLth以上である場合に限り、スタータ３のトルクが必要なレベルに確保されてエンジンの点火が可能となる。
【００６９】
したがって、図８の例では、Ｉ−Ｖ特性線Ｌ２ａ〜Ｌ２ｄと電圧降下線Ｌ１との交点Ｐａ〜Ｐｄの各電圧値が、基準電圧値ＶLthよりも大きくなっているため、これらＩ−Ｖ特性線Ｌ２ａ〜Ｌ２ｄを示すバッテリ１を使用している場合は、自動車のエンジンの点火が支障無くなされる。
【００７０】
これに対して、図８中のＩ−Ｖ特性線Ｌ２ｅと電圧降下線Ｌ１との交点Ｐｅの電圧値は、基準電圧値ＶLthよりも小さいため、このＩ−Ｖ特性線Ｌ２ｅを示すバッテリ１では、自動車のエンジンを点火することができないことになる。
【００７１】
このように、基準電圧値ＶLthを設定しておくことにより、スタータ始動時の突入電流によるバッテリ１の出力電圧の下限値（下限電圧値）と、基準電圧値ＶLthとの関係に基づいて、バッテリ１の状態、特に劣化度合いについて評価できるようになっている。
【００７２】
そこで、本願発明者らは、その基準電圧値ＶLthを、各車両の固有の特性を反映した形で的確に、かつほぼ自動的に設定することができるようにすべく本発明を行った。以下に、その発明の原理について説明する。
【００７３】
図９は、エンジン始動時におけるバッテリ１の出力電圧、放電電流、スタータ等での電圧降下の様子を示す図であり、グラフの横軸はバッテリ１の放電電流に対応し、縦軸はバッテリ１の出力電圧に対応している。また、図９中の点Ｐｎ及び線Ｌ２ｎは、満充電状態にある新品のバッテリ１の下限電圧ポイント（スタータ始動時の突入電流によりバッテリ１の出力電圧が最も低下したポイント）及びＩ−Ｖ特性線を示しており、線Ｌ２ｎの始点（点Ｐｎ）及び終点の電圧値（下限電圧値及び開放電圧値）を、ＶLn及びＶOnと表すこととする。また、図９中の点Ｐはある程度使用された通常の状態にあるバッテリ１の下限電圧ポイントを示し、線Ｌ２ｎは同様な状態にあるバッテリ１のＩ−Ｖ特性線を示している。そして、線Ｌ２ｎの始点Ｐｎの電圧値（下限電圧値）をＶLと表し、線Ｌ２ｎの終点Ｑの電圧値（開放電圧値）をＶOと表すこととする。また、図９中の線Ｌ１は、上述のスタータ３の内部抵抗等による電圧降下特性を示すものである。
【００７４】
本願発明者らは、図９に示す計測グラフや、エンジン回転数とスタータ３での逆起電力との関係等に対する検討を行った結果、エンジンのクランキング回転数ｒeとスタータ３にて生じる逆起電力電圧の大きさとが略比例関係にあるという特性に着目するに至った。
【００７５】
また、本願発明者らは、エンジン始動時におけるバッテリ１の出力電圧の振る舞いについて、出力電圧は、エンジンが始動される際はスタータ始動時に下限電圧値ＶLまで低下した後、バッテリ１の放電電流の減少に伴って下限電圧値ＶLから開放電圧値ＶOまでリニアに上昇するという近似的な取り扱いを行うことにより、エンジンの始動時の出力電圧の取り扱いが容易となることを見い出した。
【００７６】
そして、本願発明者らは、上記の特性及び近似的な取り扱いを利用することにより、バッテリ１の開放電圧値ＶO、下限電圧値ＶL、エンジンのクランキング時におけるバッテリ１の出力電圧値である始動時出力電圧値ＶC、エンジンのクランキング回転数ｒc、及びエンジンの始動に最低限必要な最低始動回転数ｒeを取得すれば、これらの数値に基づいて、バッテリ１の下限電圧値ＶLに対する評価基準となる基準電圧値ＶLthが導出できることを見出した。
【００７７】
ここで、始動時出力電圧値ＶCとしては、例えば、エンジンのクランキングが行われているクランキング期間内のいずれかの時点（例えば、エンジンの着火時又はその直前）におけるバッテリ１の出力電圧が用いられる。あるいは変形例として、クランキング期間中のバッテリ１の出力電圧の平均値を始動時出力電圧値ＶCとして用いてもよい。
【００７８】
また、クランキング回転数ｒcとしては、例えば、クランキング期間内のいずれかの時点（例えば、エンジンの着火時又はその直前）におけるエンジンの回転数を計測し、その計測値が用いられる。あるいは変形例として、クランキング期間中のエンジンの回転数の平均値を計測し、その平均値をクランキング回転数ｒcとして用いてもよい。
【００７９】
また、最低始動回転数ｒeについては、エンジンの固有の特性情報として予めメモリ等に記録しておいた情報を用いるようになっている。
【００８０】
なお、バッテリ１は、放電が行われると、拡散分極の影響により放電時間の経過に伴って出力電圧が低下するが、本実施形態ではエンジン始動時の放電の拡散分極の影響による出力電圧の低下を無視することとしている。
【００８１】
また、本実施形態では、エンジンに対するクランキングが行われるときにバッテリ１から放出される電流値は、エンジンが始動される限り、バッテリ１の劣化度、充電残量等の状態によらずに一定であるとして取り扱うこととしている。
【００８２】
より詳細には、図９中の三角形ＳＰＱと三角形ＵＰＴとの相似関係と、三角形ＯＰＱと三角形ＷＰＴとの相似関係により、数値ＶＯ，ＶＬ，ＶＣ，ＶＳの間には、次のような関係式（Ｂ−４）が成り立つ。
【００８３】
ＶO−ＶL：ＶC−ＶL＝ＶO：ＶS    （Ｂ−４）
この式（Ｂ−４）を変数ＶSについて解くと、次のようになる。
【００８４】
ＶS＝（（ＶC−ＶL）／（ＶO−ＶL））・ＶO    （Ｂ−５）
また、上記のエンジンのクランキング回転数ｒcとスタータ３の逆起電力との関係より、エンジンが最低始動回転数ｒeで回転しているときにスタータ３により発生する逆起電力電圧値をＶSmとすると、数値ＶS，ＶSm，ｒc，ｒeの間には、次のような関係式（Ｂ−６）が成り立つ。
【００８５】
ＶS／ＶSm＝ｒc／ｒe    （Ｂ−６）
この式（Ｂ−６）を変数ＶSmについて解くと、次のようになる。
【００８６】
ＶSm＝（ｒe／ｒc）・ＶS    （Ｂ−７）
次に、バッテリ１の状態が悪化して、エンジンのクランキング回転数ｒcがちょうど最低始動回転数ｒeで始動した場合のことについて検討する。このときのバッテリ１のクランキング時のＩ−Ｖ特性線は線Ｌ２ｍによって表される。上述のように、エンジンのクランキングが行われるときのバッテリ１の放電電流値はバッテリ１の状態によらずに一定であると取り扱うこととしているため、このときの始動時出力電圧ＶCmは、数値ＶC，ＶS，ＶSmと次のような関係を有する。
【００８７】
ＶCm＝ＶC−ＶS＋ＶSm    （Ｂ−８）
また、図９中の三角形ＳｍＰｍＱと三角形ＵｍＰｍＴｍとの相似関係と、三角形ＯＰｍＱと三角形ＷＰｍＴｍとの相似関係により、数値ＶO，ＶLth，ＶCm，ＶSmの間には、次のような関係式（Ｂ−９）が成り立つ。
【００８８】
ＶO−ＶLth：ＶCm−ＶLth＝ＶO：ＶSm    （Ｂ−９）
上記関係式（Ｂ−６）〜（Ｂ−９）に基づき、変数ＶS，ＶSm，ＶCmを消去し、変数ＶLthについて解くと、次のような関係式（Ｂ−１０）が得られる。
【００８９】
【数１０】
0004721826.tif 000011
【００９０】
すなわち、この関係式（Ｂ−１０）を用いることにより、予め登録されている最低始動回転数ｒeと、エンジン始動時に計測した開放電圧値ＶO、下限電圧値ＶL、始動時出力電圧値ＶC及びクランキング回転数ｒcとに基づいて、バッテリ１の下限電圧値ＶLに対する評価基準となる基準電圧値ＶLthが導出できることが分かる。
【００９１】
さらに、試験の結果、劣化により内部抵抗値が増大したバッテリ１や、充電残量が低下したバッテリ１では、開放電圧の値に対する下限電圧の値が小さくなる傾向にあることが分かった。特に、劣化により内部抵抗値が増大したバッテリでは、充電残量が高い状態（例えば、満充電時）における開放電圧の値に対する下限電圧値の低下が顕著になることが分かった。
【００９２】
そこで、本願発明者らは、この点に着目し、下限電圧値ＶLのエンジン始動限界の下限値に対応する基準電圧値ＶLthを開放電圧値ＶOで割り算した割算値Ｍを傾きとする直線
ｙ＝Ｍ・ｘ    （Ｂ−１１）
を用いて、バッテリ１の状態評価のための下限基準を与える評価基準ラインＬｒ（図１０参照）を設定することとした。ここで、上式（Ｂ−１１）における変数ｘ（ｘ座標軸）はバッテリ１の開放電圧が割り当てられ、変数ｙ（ｙ座標軸）にはバッテリ１のスタータ始動時の突入電流による下限電圧が割り当てられている。
【００９３】
＜バッテリの評価原理＞
次に、図１１を参照して、上式（Ａ−４），（Ａ−５）の関係式（又はその関係式と等価な開放電圧値ＶOIと下限電圧値ＶLIとを対応付けたデータテーブル）、及び上式（Ｂ−１１）で与えられる評価基準ラインＬｒを用いたバッテリ１の状態（劣化度合い及び充電残量）の評価原理について説明する。
【００９４】
まず劣化度合いの評価原理について説明する。図１１のグラフ中の曲線Ｇ１は、上述のように、予めシステムに記憶させた上式（Ａ−４），（Ａ−５）の関係式（又はその関係式と等価な開放電圧値ＶOIと下限電圧値ＶLIとを対応付けたデータテーブル）と、上述の初期基準開放電圧値ＶOIF及び初期基準下限電圧値ＶLIFとを用いて導出したものである。この図１１の曲線Ｇ１及び値ＶOIF，ＶLIFに関する情報は、システムに記憶されてバッテリ１の状態評価に用いられる。
【００９５】
そして、バッテリ１の使用が開始されている状態において、バッテリ１の劣化度合いを評価する際には、エンジン始動時におけるエンジン始動時負荷ＬSがバッテリ１に接続される前の開放電圧である使用後開放電圧値ＶORと、エンジン始動時負荷ＬSがバッテリ１に接続されたときの下限電圧である使用後下限電圧値ＶLRとが計測される。このとき、バッテリ１の充電残量は満充電状態である必要はない。
【００９６】
続いて、図１１のグラフの曲線Ｇ１上における下限電圧値が使用後下限電圧値ＶLRと等しい値であるときの開放電圧値を対応基準開放電圧値ＶOSとして導出し、予め記憶された初期基準開放電圧値ＶOIFとその対応基準開放電圧値ＶOSとの差である第１の差分値Ｄ１１と、初期基準開放電圧値ＶOIFと使用後開放電圧値ＶORとの差である第２の差分値Ｄ１２とを比較することにより、その時点におけるバッテリ１の劣化度合いが検出される。
【００９７】
この検出原理は、前述の図１を用いて説明したバッテリ１の劣化度合いが小さいほどグラフ上の計測点（ＶO，ＶL）は曲線Ｇ１に近づくように略左方向にシフトするという特性を利用したものである。すなわち、バッテリ１の劣化度合いが小さいほど図１１のグラフ上の計測点Ｐ１１（ＶOR，ＶLR）は、対応する曲線Ｇ１上の座標点Ｐ１２に近づいてゆくようになっており、その計測点Ｐ１１の座標点Ｐ１２に対する近づき度合いに基づいてバッテリ１の劣化度合いを評価するようになっている。
【００９８】
次に、充電残量の評価原理について説明する。充電残量の評価は、図１１のグラフの曲線Ｇ１で表されるバッテリ１が新品のときの放電電圧と下限電圧との関係を用いて行われる。このため、充電残量の評価の際に、使用後開放電圧値ＶORと使用後下限電圧値ＶLRとが計測される。
【００９９】
また、充電残量評価の際には、その使用後開放電圧値ＶOR及び使用後下限電圧値ＶLRが計測されるとともに、始動時出力電圧値ＶC及びクランキング回転数ｒcが計測され、これらの計測値と予めシステムに登録された最低始動回転数ｒeが上記関係式（Ｂ−１０）に代入され、基準電圧値ＶLthが導出され、これを用いて上記関係式（Ｂ−１１）により、評価基準ラインＬｒが設定される。なお、上記電圧値ＶOR，ＶLRはＶO，ＶLとして式（Ｂ−１０）に代入される。
【０１００】
そして、予めシステムに記憶させた上式（Ａ−４），（Ａ−５）の関係式（又はその関係式と等価な開放電圧値ＶOIと下限電圧値ＶLIとを対応付けたデータテーブル）によって与えられるグラフ情報（曲線Ｇ１）と、関係式（Ｂ−１０）によって与えられるグラフ情報（評価基準ラインＬｒ）との交点に対応する開放電圧の値が、最低基準開放電圧値ＶOIEとして導出される。この最低基準開放電圧値ＶOIEは、新品のバッテリ１の充電残量がエンジンを始動可能な下限レベルにあるときのバッテリ１の開放電圧に対応するものである。
【０１０１】
また、劣化度合いの評価のときの同様にして図１１のグラフの曲線Ｇ１上における下限電圧値が使用後下限電圧値ＶLRと等しい値であるときの開放電圧値が対応基準開放電圧値ＶOSとして導出される。
【０１０２】
続いて、使用が開始されているその時点におけるバッテリ１の充電残量がエンジンの始動が可能な下限レベルにあるときを想定したときの開放電圧である最低使用後開放電圧値ＶOREが、次のようにして導出される。すなわち、予め取得された初期基準開放電圧値ＶOIFから最低基準開放電圧値ＶOIEを引いた値Ｄ１３に対する初期基準開放電圧値ＶOIFから最低使用後開放電圧値ＶOREを引いた値Ｄ１４の比が、初期基準開放電圧値ＶOIFから対応基準開放電圧値ＶOSを引いた値Ｄ１１に対する初期基準開放電圧値ＶOIFから使用後開放電圧値ＶORを引いた値Ｄ１２の比と等しくなるようにして導出して、最低使用後開放電圧値ＶOREが導出される。
【０１０３】
そして、初期基準開放電圧値ＶOIFと最低使用後開放電圧値ＶOREとの差である第３の差分値（基準差分値）Ｄ２１と、使用後開放電圧値ＶORと最低使用後開放電圧値ＶOSとの差である第４の差分値（使用後差分値）Ｄ２２とを比較することにより、その時点におけるバッテリ１の充電残量が検出されるようになっている。
【０１０４】
この検出原理は、バッテリ１の充電残量が満充電状態から減少するのに従って、図１１のグラフの横軸に平行な仮想線Ｌ２１上における計測点Ｐ１１に対応した座標点Ｐ２１が、満充電残量に対応する座標点Ｐ２２側から充電残量の始動可能限界に対応する座標点Ｐ２３側に値が付く特性を利用したものである。
【０１０５】
＜装置構成＞
図１２は、本発明の一実施形態に係るバッテリ状態管理装置のブロック図である。このバッテリ状態管理装置は、図１２に示すように、電流センサ３１、電圧センサ（電圧検出手段）３３、処理部３５、記憶部３７及び出力部３９を備えて構成されており、車両に搭載されたバッテリ１の状態を管理する。処理部３５は、本発明に係る電圧関係導出手段、回転数検出手段、基準電圧導出手段、評価基準設定手段及び状態評価手段に相当している。記憶部３７は、本発明に係る第１ないし３の記憶手段に相当している。
【０１０６】
電流センサ３１は、バッテリ１に対する電流の入出力量を検出する。電圧センサ３３は、バッテリ１の出力電圧を検出する。処理部３５は、ＣＰＵ等を備えて構成され、バッテリ１の管理のために各種の情報処理動作（制御動作も含む）を行う。記憶部３７は、メモリ等により構成され、処理部１５が行う各種の情報処理動作に必要な情報等が記憶されている。出力部３９は、バッテリ１の状態の判定結果等を出力するためのものである。
【０１０７】
＜全体の所定動作＞
まず、このバッテリ状態管理装置の全体的な処理動作について、図１３を参照して説明する。処理部３５は、ステップＳ１でイグニッションスイッチ（以下、「ＩＧスイッチ」という）４１がオンされるのに伴って、ステップＳ２で初期充電残量の検出動作を行う。この検出動作では、バッテリ１の開放電圧が電圧センサ３３を介して計測され、その開放電圧の計測値に基づいてバッテリ１のエンジン始動前の充電残量（初期充電残量）が検出される。このとき、バッテリ１が満充電状態であるか否かの判定も行われる。なお、ここで計測されたバッテリ１の開放電圧は後述のステップＳ５のエンジン始動時状態判定又はステップＳ６の基準放電特性導出処理に用いられる。
【０１０８】
処理部３５は、続くステップＳ３でスタータ３が駆動されて図示しないエンジンが始動されるのに伴って、ステップＳ４でバッテリ１の基準放電特性の導出処理の要否が判断される。すなわち、車両の組立完成後、基準放電特性の導出処理がまだ行われていない場合には、ステップＳ６に進み基準放電特性導出処理が行われ、導出処理が既に行われている場合には、ステップＳ５に進みエンジン始動時状態判定処理が行われる。この基準放電特性の導出が既に行われているか否かの判断は、例えば上式（Ａ−４），（Ａ−５）に関する関係式（又はそれと等価なデータテーブル）が記憶部３７に記憶されているか否かを判断することにより行われる。また、この基準放電特性の導出は、車両組立完成時等に実質的に１回行えば、バッテリ１を交換するまでは行う必要がない。ステップＳ６での基準放電特性導出処理又はステップＳ５での始動時状態判定処理が行われると、ステップＳ７に進み始動後劣化判定処理が行われる。なお、基準放電特性導出処理及び始動時状態判定処理の具体的内容については後述する。
【０１０９】
そして、処理部３５は、続くステップＳ７でエンジン始動後劣化判定動作を行う。この始動後劣化判定動作では、エンジン始動後の充電により満充電（又はそれに近い状態）になったバッテリ１への電流流入状況を電流センサ１１を介して検出し、その電流流入状況に基づいてバッテリ１の劣化度が判定される。
【０１１０】
また、処理部３５は、続くステップＳ８でバッテリ１に対する充電制御（バッテリ１の充電残量管理）を行う。この充電制御では、電流センサ１１の計測電流値を積算することにより、エンジン始動時等の所定の基準時からバッテリ１から放電された全電流量が逐次検出され、その検出結果に基づいてバッテリ１に対して行うべき充電量を決定するようになっている。これによって、走行中におけるバッテリ１の充電残量が所定範囲内に維持されるようになっている。充電量の制御は、例えば、図示しないオルタネータの発電量（出力電圧等）を制御することにより行われる。
【０１１１】
このステップＳ７，Ｓ８のエンジン始動後劣化判定動作及び充電制御は、エンジンが停止されるまで繰り返し継続される。
【０１１２】
＜基準放電特性導出処理＞
ここでは、上述の図１３のステップＳ６で行われる基準放電特性処理について説明する。この基準放電特性導出処理の前提として、記憶部３７には、新品のバッテリ１の開放電圧値ＶOIの変化に対する内部抵抗値ＲBIの変化率（ＲBI／ＲBIF）を近似的に表す開放電圧値ＶOIを変数とした上式（Ａ−３）のような関数に関する情報（又はそれと等価な開放電圧値ＶOIと各開放電圧値ＶOIにおける内部抵抗値ＲBIの変化率（ＲBI／ＲBIF）とを対応付けたデータテーブルに関する情報）を記憶させておく必要がある。
【０１１３】
処理部３５は、ステップＳ２での検出によりバッテリ１が満充電状態にある場合にのみ、この基準放電特性導出処理を行うようになっており、仮にバッテリ１が満充電状態でない場合には、その導出処理を行うことなく、例えばステップＳ７の処理に進むようになっている。そして、次回のエンジン始動時にバッテリ１が満充電状態となっていれば、そのときにステップＳ６にて基準放電特性導出処理が行われるようになっている。
【０１１４】
この導出処理では、上述の如く、エンジン始動時負荷ＬSがバッテリ１に接続された際の下限電圧値が初期基準下限電圧値ＶLIFとして電圧センサ１３を介して計測され、この初期基準下限電圧値ＶLIFと直前のステップＳ２で計測された開放電圧である初期基準開放電圧値ＶOIFと、上式（Ａ−３）（又は上式（Ａ−３）と等価なデータテーブル）とを用いて、車両固有のエンジン始動時負荷ＬSに対する新品のバッテリ１の基準放電特性が導出される。すなわち、新品のバッテリ１の基準放電特性は、開放電圧値ＶOIの変化に伴う下限電圧値ＶLIの変化を示す上式（Ａ−４）の関係式として導出される。但し、式（Ａ−４）中のパラメータＲLKは上式（Ａ−５）で与えられる。
【０１１５】
本実施形態では、このようにして導出した新品のバッテリ１における開放電圧値ＶOIの変化と下限電圧値ＶLIの変化との関係を関係式（Ａ−４），（Ａ−５）の形で記憶部３７に保存するようになっているが、関係式（Ａ−４），（Ａ−５）と実質的に等価なデータテーブル（縦軸及び横軸に開放電圧及び下限電圧をとった２次元座標上の曲線Ｇ１を表す座標情報）の形で記憶部３７に保存するようにしてもよい。
【０１１６】
この基準放電特性導出処理では、その導出処理に用いた初期基準開放電圧値ＶOIF及び初期基準下限電圧値ＶLIFが記憶部３７に保存されるようになっている。
【０１１７】
＜始動時状態判定処理＞
次に、上述の図１３のステップＳ５で行われる始動時状態判定処理について説明する。なお、この始動時状態判定処理は、バッテリ１の充電残量によらずに実行されるが、ステップＳ６の基準放電特性導出処理が完了していることが前提条件となっている。
【０１１８】
この始動時状態判定処理では、まずバッテリ１のエンジン始動限界に対応する評価基準ラインＬｒの導出が行われ、続いてその基準ラインＬｒ及び上記の関係式（Ａ−４），（Ａ−５）を用いた状態評価が行われる。
【０１１９】
＜評価基準ラインの導出＞
まず、処理部３５により、エンジン始動時に電圧センサ３１が検出したバッテリ１の出力電圧の振動状況に基づき、エンジンのクランキング回転数ｒcが検出される。より詳細には、エンジン始動時のバッテリ１の出力電圧の振る舞いとして、図１４に示すように、時刻Ｔａでイグニッションスイッチ９がオンされると（このとき、バッテリ１からスタータ３に突入電流が流れる）、エンジンのクランキング動作に伴い、バッテリ１の出力電圧が振動するようになっている（図１４の符号Ａで示す部分の波形を参照）。その出力電圧の振動は、スタータがエンジンをクランキングする際の負荷が、エンジンのサイクル中の状態（吸気、圧縮、膨張、排気）により変動するため、エンジン及びスタータ３の回転数が振動することにより生じるものである。このため、この出力電圧の振動の周期等を処理部３５で検出することにより、エンジンのクランキング回転数ｒcを検出することができるようになっている。
【０１２０】
より具体的には、例えば、クランキング期間内のいずれかの時点（例えば、エンジンの着火時又はその直前）におけるエンジンの回転数を計測し、その計測値をクランキング回転数ｒcとして用いる構成、及び、クランキング期間中のエンジンの回転数の平均値を計測し、その平均値をクランキング回転数ｒcとして用いる構成などが考えられる。
【０１２１】
また、処理部３５は、予め記憶部３７に記憶されている最低始動回転数ｒeと、エンジン始動に伴って取得した開放電圧値ＶO、下限電圧値ＶL、始動時出力電圧値ＶC及びクランキング回転数ｒcとを、予め記憶部３７に記憶されている上記関係式（Ｂ−１０）に代入して演算することにより、基準電圧値ＶLthを導出する。
【０１２２】
なお、この導出に用いられる開放電圧値ＶO及び下限電圧値ＶLは、直前のステップＳ２で計測された使用後開放電圧値ＶOR及び使用後下限電圧値ＶLRが用いられる。また、始動時出力電圧ＶCは、例えば、エンジンのクランキングが行われているクランキング期間内のいずれかの時点（例えば、エンジンの着火時又はその直前）におけるバッテリ１の出力電圧、又は、クランキング期間中のバッテリ１の出力電圧の平均値などが用いられる。
【０１２３】
そして、処理部３５により、その基準電圧値ＶLthを開放電圧値ＶOで割り算した割算値Ｍを用いて上式（Ｂ−１１）により評価基準ラインＬｒが設定され、この評価基準ラインＬｒに関する情報が記憶部３７に記憶される。
【０１２４】
＜状態評価＞
そして、処理部３５により、上式（Ａ−４），（Ａ−５）の関係式（又はその関係式と等価な開放電圧値ＶOIと下限電圧値ＶLIとを対応付けたデータテーブル）、及び上式（Ｂ−１１）で与えられる評価基準ラインＬｒを用いたバッテリ１の状態（劣化度合い及び充電残量）の評価が行われる。
【０１２５】
まず劣化度合いの判例処理について説明する。まず、記憶部３７に記憶されている関係式（Ａ−４），（Ａ−５）によって表される図１１のグラフの曲線Ｇ１上における下限電圧値が使用後下限電圧値ＶLRと等しい値であるときの開放電圧値が対応基準開放電圧値ＶOSとして導出される。あるいは、式（Ａ−４），（Ａ−５）における変数ＶLIに使用後下限電圧値ＶLRを代入したときの変数ＶOIの値を対応基準開放電圧値ＶOSとして導出する。
【０１２６】
続いて、記憶部３７に記憶された初期基準開放電圧値ＶOIFとその対応基準開放電圧値ＶOSとの差である第１の差分値Ｄ１１と、初期基準開放電圧値ＶOIFと使用後開放電圧値ＶORとの差である第２の差分値Ｄ１２とを比較することにより、その時点におけるバッテリ１の劣化度合いが検出される。例えば、第１の差分値Ｄ１１に対する第２の差分値Ｄ１２の比率（図１１のハッチングを付した部分Ｃ１が対応）に基づいてバッテリ１の劣化度合いが検出される。
【０１２７】
次に充電残量の判定処理について説明する。この判定処理では、劣化度合いの判定処理により取得された使用後下限電圧値ＶLR及び対応基準開放電圧値ＶOS等を利用して処理が行われる。
【０１２８】
まず、予めシステムに記憶させた上式（Ａ−４），（Ａ−５）の関係式（又はその関係式と等価な開放電圧値ＶOIと下限電圧値ＶLIとを対応付けたデータテーブル）によって与えられるグラフ情報（曲線Ｇ１）と、関係式（Ｂ−１０）によって与えられるグラフ情報（評価基準ラインＬｒ）との交点に対応する開放電圧の値が、最低基準開放電圧値ＶOIEとして導出される。
【０１２９】
続いて、その時点におけるバッテリ１の充電残量がエンジンの始動が可能な下限レベルにあるときを想定したときの開放電圧である最低使用後開放電圧値ＶOREが、次のようにして導出される。すなわち、予め取得された初期基準開放電圧値ＶOIFから初期設定により記憶部１７に記憶された最低基準開放電圧値ＶOIEを引いた値Ｄ１３に対する、初期基準開放電圧値ＶOIFから最低使用後開放電圧値ＶOREを引いた値Ｄ１４の比が、初期基準開放電圧値ＶOIFから対応基準開放電圧値ＶOSを引いた値Ｄ１１に対する初期基準開放電圧値ＶOIFから使用後開放電圧値ＶORを引いた値Ｄ１２の比と等しくなるようにして、最低使用後開放電圧値ＶOREが導出される。
【０１３０】
そして、初期基準開放電圧値ＶOIFと最低使用後開放電圧値ＶOREとの差である第３の差分値Ｄ２１と、使用後開放電圧値ＶORと最低使用後開放電圧値ＶOSとの差である第４の差分値Ｄ２２とが比較されることにより、その時点におけるバッテリ１の充電残量が検出するようになっている。例えば、第３の差分値Ｄ２１に対する第２の差分値Ｄ２２の比率（図１１のハッチングを付した部分Ｃ２が対応）に基づいてバッテリ１の充電残量が検出される。例えば、変形例として、ここで検出されたバッテリ１の充電残量値と、電流センサ３１の検出結果に基づいて算出したバッテリ１に対する電流の入出力収支とに基づいて、その時点におけるバッテリ１の放出可能な電力量を検出するようにしてもよい。そして、その電力量に関する情報を出力部３９を介して出力するようにしてもよい。
【０１３１】
＜まとめ＞
以上のように、本実施形態によれば、エンジンに固有のパラメータである最低始動回転数に関する情報及びバッテリ１の標準的な内部抵抗変化特性を示す情報等を予め記憶部３７に登録しておけば、それ以外の必要な情報については、各車両固有の特性（特に、スタータ及びバッテリの特性）が反映された形で、バッテリ状態管理装置によって自動的に取得され、バッテリ１の状態評価の基準となる評価基準ラインが自動的に設定され、上式（Ａ−４），（Ａ−５）の関係式（又はその関係式と等価な開放電圧値ＶOIと下限電圧値ＶLIとを対応付けたデータテーブル）、及び上式（Ｂ−１１）で与えられる評価基準ラインＬｒを用いたバッテリ１の状態（劣化度合い及び充電残量）の評価が行われるようになっているため、様々な車種・車格の車両に容易に対応して、バッテリ１の状態評価を的確に行うことができる。
【０１３２】
また、スタータ始動時のバッテリ１の出力電圧である下限電圧ＶLには、バッテリ１の状態が顕著に反映されるため、この下限電圧ＶLとの関係で評価基準となる基準電圧値ＶLthを設定を設定し、その基準電圧値ＶLthと開放電圧値ＶOとに基づいてバッテリ１のエンジン始動限界に対応する評価基準ラインＬｒを設定するため、バッテリ１のエンジン始動性能について的確に評価することができる。
【０１３３】
また、新品のバッテリ１の充電残量の変化に応じた開放電圧の変化に対するバッテリ１の内部抵抗の変化率は、バッテリ１のグレード等が異なってもほぼ共通しているため、その内部抵抗変化率と、車両組立完成時等における車両固有のエンジン始動時負荷ＬSに対するバッテリ１の満充電時の電圧降下特性とにより、バッテリ１の状態評価の基準となる新品状態のバッテリ１の車両固有の放電特性を、各車種固有のパラメータ設定を行うことなく、自動的に取得することができ、バラメータ設定のための人的及び装置的コストを軽減できるとともに、同一車種内の車両個体差によるバラツキにも容易に対応できる。
【０１３４】
また、上述の如く、バッテリ１の基準放電特性と、各評価時点におけるエンジン始動時の放電によるバッテリ１の放電特性とに基づいて劣化度合い及び充電残量を評価することにより、車種の違いや車両個体差に対するパラメータ設定等の特別な対策を行うことなく、簡単な演算処理により的確にバッテリ１の劣化度合い及び充電残量を検出することができる。特に、エンジンの始動限界に対応して設定された評価基準ラインＬｒを用いてバッテリ１の充電残量の評価を行うため、エンジン始動性能を基準したバッテリ１の充電残量を検出することができる。
【０１３５】
また、バッテリ１の充電残量に依存することなく、各時点におけるバッテリ１の劣化度合いを検出することができるとともに、バッテリ１の劣化度合いに依存することなく、各時点におけるバッテリ１の充電残量を検出することができる。
【０１３６】
また、クランキング回転数ｒcとスタータ３にて生じる逆起電力電圧の大きさとが略比例関係にあるという特性を利用し、開放電圧値ＶO、下限電圧値ＶL、始動時出力電圧値ＶC、クランキング回転数ｒc及び最低始動回転数ｒeを上記関係式（Ｂ−１０）に代入し、演算処理により基準電圧値ＶLthを導出し、その基準電圧値ＶLthを用いて上記関係式（Ｂ−１１）により評価基準ラインＬｒを導出するため、評価基準ラインＬｒを簡単な演算により容易かつ的確に取得することができる。
【０１３７】
また、電圧センサ３３が検出したバッテリ１の出力電圧の振動状況に基づいてエンジンのクランキング回転数ｒcを検出するため、エンジンの機構部の動作状況を検出するための特別なセンサ手段を設ける必要がなく、構成の簡略化が図れる。
【０１３８】
＜変形例＞
なお、上述の実施形態では、バッテリ１の出力電圧の振動状況に基づいてエンジンのクランキング回転数ｒcを検出するようにしたが、図１５に示すように、エンジンの機構部の動作状況を検出する回転角センサ（センサ部）５１を設け、この回転角センサ５１の検出信号に基づいて処理部３５がエンジンのクランキング回転数ｒcを検出するようにしてもよい。回転角センサ５１としては、クランク角センサ及びカム角センサ等が用いられる。この場合、エンジンの機構部の動作状況を検出するセンサ部の検出結果に基づいてクランキング回転数ｒcを検出するため、クランキング回転数ｒcを確実かつ正確に検出することができる。
【０１３９】
また、上述の実施形態によるバッテリ１の状態評価の手法は、各評価時におけるバッテリ１の下限電圧値ＶLRが高くなるほど信頼性が低下する傾向にあるため、評価結果の信頼性確保のため、下限電圧値ＶLRが所定の基準レベル以下である場合にのみバッテリ１の劣化度合い及び充電残量の判定を行うようにしてもよい。
【０１４０】
また、上述の実施形態に係る図１２の装置構成にバッテリ１の温度を計測する温度センサを追加し、バッテリ１の温度を考慮した状態評価を行うようにしてもよい。より具体的には、例えば、各温度における新品のバッテリ１の開放電圧と下限電圧との関係を表す２次元座標情報（この場合、温度を含めて考慮すると３次元座標情報ということもできる）を導出し、それに基づいてその時点の温度における状態評価を行う方法や、温度に依存するパラメータ（開放電圧、下限電圧等）の値を温度補正（例えば、標準温度の値に補正）して状態評価を行うようにしてもよい。
【図面の簡単な説明】
【０１４１】
【図１】劣化状況及び充電残量の異なるバッテリについて開放電圧とエンジン始動時の下限電圧とを試験により計測した計測結果を示すグラフである。
【図２】バッテリのエンジン始動時の放電特性について説明するためのグラフである。
【図３】エンジン始動時にバッテリに接続される負荷とバッテリの内部抵抗との関係を模式的に示す回路図である。
【図４】ＪＩＳ容量試験を利用して新品のバッテリの放電時の出力電圧の推移を計測したときのグラフである。
【図５】放電に伴う開放電圧の変化に対する内部抵抗変化率の推移を示すグラフである。
【図６】車両のエンジン始動時におけるバッテリの出力電圧と放電電流の推移を示す図である。
【図７】バッテリとスタータとが接続された状態を示す等価回路図である。
【図８】図７の回路における電圧降下とバッテリの放電電流及び出力電圧の変化を示す図である。
【図９】エンジン始動時におけるバッテリの出力電圧、放電電流、スタータ等での電圧降下の様子を示す図である。
【図１０】評価基準ラインを示すグラフである。
【図１１】導出したバッテリのエンジン始動時の放電特性及び評価基準ラインに基づいてバッテリの状態評価を行う原理を説明するためのグラフである。
【図１２】本発明の一実施形態に係るバッテリ状態管理装置のブロック図である。
【図１３】図１２のバッテリ状態管理装置の全体的な処理動作を示すフローチャートである。
【図１４】エンジン始動時におけるバッテリの出力電圧の振る舞いを示す図である。
【図１５】図１２に示す構成の変形例を示す図である。
【符号の説明】
【０１４２】
１  バッテリ
３  スタータ
３１  電流センサ
３３  電圧センサ
５５  処理部
３７  記憶部
３９  出力部
４１  ＩＧスイッチ
５１  回転角センサ
【図１】
0004721826.tif 000014
【図２】
0004721826.tif 000015
【図３】
0004721826.tif 000016
【図４】
0004721826.tif 000017
【図５】
0004721826.tif 000018
【図６】
0004721826.tif 000019
【図７】
0004721826.tif 000020
【図８】
0004721826.tif 000021
【図９】
0004721826.tif 000022
【図１０】
0004721826.tif 000023
【図１１】
0004721826.tif 000024
【図１２】
0004721826.tif 000025
【図１３】
0004721826.tif 000026
【図１４】
0004721826.tif 000027
【図１５】
0004721826.tif 000028